(57)【要約】【課題】表示装置ごとに適切な画質で表示することが可能なマルチディスプレイシステム、表示装置、表示方法及び表示プログラムを提供する。【解決手段】本発明に係るマルチディスプレイシステム１００は、複数のディスプレイＰＤを備えたマルチディスプレイシステムであって、ディスプレイＰＤは、マルチディスプレイ画像の一部を表示するモニター２を備え、任意のディスプレイＰＤは、周囲の人を検出する人感センサー１を備え、いずれかのディスプレイＰＤは、人感センサー１の検出結果に基づいて、複数のディスプレイＰＤのモニター２の輝度を調整する調整部３を備える。【選択図】図８
2018022081.tif 000002
【特許請求の範囲】
【請求項１】
複数の表示装置を備えたマルチディスプレイシステムであって、
前記複数の表示装置は、マルチディスプレイ画像の一部を表示する表示部を備え、
前記複数の表示装置のうち２つ以上の表示装置は、周囲の人を検出する人感センサーを備え、
前記複数の表示装置のいずれかは、前記人感センサーの検出結果に基づいて、前記複数の表示装置の前記表示部の輝度を調整する調整部を備える、
マルチディスプレイシステム。
【請求項２】
前記調整部は、人が多い前記表示装置の表示装置の輝度よりも人が少ない前記表示装置の表示装置の輝度を高くする、
請求項１に記載のマルチディスプレイシステム。
【請求項３】
前記調整部は、最も人が多い前記表示装置の表示部の輝度を基準として、前記基準の表示装置から離れるにしたがって前記表示装置の表示部の輝度を高くする、
請求項１または２に記載のマルチディスプレイシステム。
【請求項４】
前記調整部は、最も人が多い前記表示装置の表示部の視野角を基準として、視野角が大きくなるにしたがって前記表示装置の表示部の輝度を高くする、
請求項１乃至３のいずれか一項に記載のマルチディスプレイシステム。
【請求項５】
前記人感センサーは、人が存在するか否かのいずれかを検出し、
前記表示装置は、前記人感センサーを複数備える、
請求項１乃至４のいずれか一項に記載のマルチディスプレイシステム。
【請求項６】
前記調整部は、人の存在を検出した前記人感センサーの数に基づいて、前記表示装置の表示部の輝度を調整する、
請求項５に記載のマルチディスプレイシステム。
【請求項７】
前記調整部は、人の存在を検出した前記人感センサーの数を前記表示装置のグループごとに集計し、前記集計結果に基づいて、前記表示装置の表示部の輝度を調整する、
請求項６に記載のマルチディスプレイシステム。
【請求項８】
マルチディスプレイシステムを構成する表示装置であって、
マルチディスプレイ画像の一部を表示する表示部と、
周囲の人を検出する人感センサーと、
前記人感センサーの検出結果及び他の表示装置における人感センサーの検出結果に基づいて、前記表示部の輝度を調整する調整部と、
を備える、表示装置。
【請求項９】
マルチディスプレイシステムを構成する表示装置における表示方法であって、
マルチディスプレイ画像の一部を表示し、
周囲の人を検出し、
前記人の検出結果及び他の表示装置における人の検出結果に基づいて、前記表示の輝度を調整する、
表示方法。
【請求項１０】
マルチディスプレイシステムを構成する表示装置に実行させるための表示プログラムであって、
マルチディスプレイ画像の一部を表示し、
周囲の人を検出し、
前記人の検出結果及び他の表示装置における人の検出結果に基づいて、前記表示の輝度を調整する、
表示プログラム。
【発明の詳細な説明】
【技術分野】
【０００１】
本発明は、マルチディスプレイシステム、表示装置、表示方法及び表示プログラムに関し、特に、複数の表示装置を備えたマルチディスプレイシステム、表示装置、表示方法及び表示プログラムに関する。
【背景技術】
【０００２】
近年、複数のディスプレイを縦横へマトリクス状に配置し、１つの大型ディスプレイとして画像（映像）を表示するマルチディスプレイシステム（複数画面システム）が知られている。例えば、マルチディスプレイシステムは、駅や空港、商店街等に設置されて、広告コンテンツを表示するデジタルサイネージ（電子看板）等に利用されている。
【０００３】
関連する技術として、例えば、特許文献１が知られている。特許文献１には、人感センサーを備えたデジタルサイネージシステムが開示されている。その他の関連する技術として、特許文献２〜４も知られている。
【先行技術文献】
【特許文献】
【０００４】
【特許文献１】特開２０１２−０７９１９４号公報
【特許文献２】特開２０１２−２４８３５０号公報
【特許文献３】特開２０１２−１６８９１１号公報
【特許文献４】特開２０１１−１８１３４０号公報
【発明の概要】
【発明が解決しようとする課題】
【０００５】
特許文献１では、近距離視聴者に見やすい画面サイズのコンテンツと遠距離視聴者に見やすい画面サイズのコンテンツを表示させることで利便性を向上させている。しかしながら、特許文献１などの関連する技術では、マルチディスプレイシステムの画像を視認する人の位置によって、各表示装置（ディスプレイ）の画質にばらつきがあるという問題がある。
【０００６】
本発明は、このような課題に鑑み、表示装置ごとに適切な画質で表示することが可能なマルチディスプレイシステム、表示装置、表示方法及び表示プログラムを提供することを目的とする。
【課題を解決するための手段】
【０００７】
本発明に係るマルチディスプレイシステムは、複数の表示装置を備えたマルチディスプレイシステムであって、前記複数の表示装置は、マルチディスプレイ画像の一部を表示する表示部を備え、前記複数の表示装置のうち２つ以上の表示装置は、周囲の人を検出する人感センサーを備え、前記複数の表示装置のいずれかは、前記人感センサーの検出結果に基づいて、前記複数の表示装置の前記表示部の輝度を調整する調整部を備えるものである。
【０００８】
本発明に係る表示装置は、マルチディスプレイシステムを構成する表示装置であって、マルチディスプレイ画像の一部を表示する表示部と、周囲の人を検出する人感センサーと、前記人感センサーの検出結果及び他の表示装置における人感センサーの検出結果に基づいて、前記表示部の輝度を調整する調整部と、を備えるものである。
【０００９】
本発明に係る表示方法は、マルチディスプレイシステムを構成する表示装置における表示方法であって、マルチディスプレイ画像の一部を表示し、周囲の人を検出し、前記人の検出結果及び他の表示装置における人の検出結果に基づいて、前記表示の輝度を調整するものである。
【００１０】
本発明に係る表示プログラムは、マルチディスプレイシステムを構成する表示装置に実行させるための表示プログラムであって、マルチディスプレイ画像の一部を表示し、周囲の人を検出し、前記人の検出結果及び他の表示装置における人の検出結果に基づいて、前記表示の輝度を調整するものである。
【発明の効果】
【００１１】
本発明によれば、表示装置ごとに適切な画質で表示することが可能なマルチディスプレイシステム、表示装置、表示方法及び表示プログラムを提供することができる。
【図面の簡単な説明】
【００１２】
【図１】参考例のマルチディスプレイシステムの構成例を示す構成図である。
【図２】一般的なディスプレイの視野角特性を示す特性図である。
【図３】参考例のマルチディスプレイシステムにおける輝度調整方法を示すフローチャートである。
【図４】参考例のマルチディスプレイシステムで使用される視野角特性データの例を示す図である。
【図５】参考例のマルチディスプレイシステムで使用される輝度測定データの例を示す図である。
【図６】参考例のマルチディスプレイシステムにおける視野角算出方法を説明するための図である。
【図７】実施の形態１に係るマルチディスプレイシステムの構成例を示す構成図である。
【図８】実施の形態１に係るディスプレイの構成例を示すブロック図である。
【図９】実施の形態１に係るマルチディスプレイシステムにおける輝度調整方法を示すフローチャートである。
【図１０】実施の形態１に係るマルチディスプレイシステムにおける輝度調整方法を説明するための図である。
【図１１】実施の形態１に係るマルチディスプレイシステムにおける視野角算出方法を説明するための図である。
【図１２】実施の形態１に係るマルチディスプレイシステムにおける視野角算出方法を説明するための図である。
【図１３】実施の形態１に係るマルチディスプレイシステムにおける輝度調整方法を説明するための図である。
【図１４】実施の形態１に係るマルチディスプレイシステムにおける視野角算出方法を説明するための図である。
【図１５】実施の形態２に係るマルチディスプレイシステムの構成例を示す構成図である。
【図１６】実施の形態２に係るマルチディスプレイシステムの構成例を示す構成図である。
【図１７】実施の形態２に係るマルチディスプレイシステムの構成例を示す構成図である。
【図１８】実施の形態２に係るマルチディスプレイシステムの概要を説明するための図である。
【図１９】実施の形態２に係るマルチディスプレイシステムのネットワーク構成例を示す構成図である。
【図２０】実施の形態２に係るマスターディスプレイの構成例を示すブロック図である。
【図２１】実施の形態２に係るスレーブディスプレイの構成例を示すブロック図である。
【図２２】実施の形態２に係るマルチディスプレイシステムにおける輝度調整方法を示すフローチャートである。
【図２３】実施の形態２に係るマルチディスプレイシステムにおける輝度調整方法を説明するための図である。
【図２４】実施の形態２に係るマルチディスプレイシステムにおける輝度調整方法を説明するための図である。
【図２５】実施の形態２に係るマルチディスプレイシステムにおける輝度調整方法を説明するための図である。
【図２６】その他の実施の形態に係るマルチディスプレイシステムの構成例を示す構成図である。
【図２７】その他の実施の形態に係るマルチディスプレイシステムの構成例を示す構成図である。
【図２８】その他の実施の形態に係るマルチディスプレイシステムの構成例を示す構成図である。
【図２９】その他の実施の形態に係るマルチディスプレイシステムの構成例を示す構成図である。
【発明を実施するための形態】
【００１３】
（参考例）
実施の形態の説明の前に、実施の形態の参考となる参考例について説明する。図１は、参考例のマルチディスプレイシステム９００の構成例を示している。図１に示すように、参考例のマルチディスプレイシステム９００は、３行（横方向：水平方向）×３列（縦方向：垂直方向）に配列された９台のディスプレイＰＤ（ＰＤ１〜ＰＤ９）を備えている。ディスプレイＰＤ１〜ＰＤ９は、それぞれ通信可能に接続されており、９台のディスプレイＰＤで１つの大画面（マルチディスプレイ画像）を形成するように表示を行う。
【００１４】
ディスプレイ（表示装置）ＰＤは、液晶パネルやプラズマパネル、有機ＥＬなどのモニターを備えたフラットディスプレイである。例えば、液晶モニターでは、その視野角特性により、見る角度に応じて画質が異なる。図２は、一般的な液晶パネルの視野角特性の例を示している。水平方向の視野角特性も垂直方向の視野角特性も同様である。図２に示すように、液晶モニターでは、モニター画面を真正面（視野角０°）から見た場合、白輝度がはっきりと高輝度（正面輝度）で見えることが分かる。しかし、モニター画面を見る角度（視野角）が大きくなるほど、白輝度が低下する（暗く見える）ことが分かる。なお、白輝度とは、画面を白色にして測定した時の輝度であり、単なる輝度や俗にいう明るさと同義である。
【００１５】
図１に示すように、マルチディスプレイシステム９００では、９台のディスプレイＰＤにより表示するため、システム全体の表示面積が大きい。そのため、人がマルチディスプレイシステム９００の真正面に立ってみた場合、中央部分の見え方と、上下左右端部の見え方が異なってくる。すなわち、人がマルチディスプレイシステム９００の真正面から見た場合、画面中央部では視野角が小さいため、中央のディスプレイＰＤ１の白輝度は高輝度で見える。しかし、画面中央部から離れた場所では視野角が大きくなるため、ディスプレイＰＤ２、ＰＤ３、ＰＤ４、ＰＤ７の白輝度はディスプレイＰＤ１よりも低輝度で見え、ディスプレイＰＤ５、ＰＤ６、ＰＤ８、ＰＤ９の白輝度はさらに低く見える。
【００１６】
したがって、複数のディスプレイを備えた大規模なマルチディスプレイシステムでは、視野角によって見え方が大きく違ってきてしまうため、大きな問題となる。
【００１７】
そこで、参考例では、以下のように、マルチディスプレイシステムにおける各ディスプレイの輝度を調整する。なお、以下では、図２のような視野角特性を全てのディスプレイが有するものとして説明する。
【００１８】
図３は、参考例のマルチディスプレイシステム９００における輝度調整方法を示している。図３に示すように、まず、視野角特性データを予め記憶する（Ｓ１０１）。例えば、図２で示したような標準的な視野角特性を示す視野角特性データを、各ディスプレイＰＤのメモリに組み込んでおく。図４は、視野角特性データの一例を示している。視野角特性データは、視野角と、正面輝度に対する輝度比率とが関連付けられて記憶されている。この例では、視野角が２０°間隔の輝度比率が記憶されている。
【００１９】
続いて、各ディスプレイＰＤの輝度を測定する（Ｓ１０２）。工場調整時、ディスプレイ１台毎に視野角特性（輝度）を測定し、測定結果である輝度測定データを各ディスプレイＰＤのメモリに記憶しておく。図５は輝度測定データの一例を示している。輝度測定データは、中央、上下、左右の計９か所の各ディスプレイの輝度を測定した輝度のデータであり、ディスプレイＰＤと測定した輝度とが関連付けられて記憶されている。輝度測定器の位置をマルチディスプレイシステムの中央（正面）に固定し、９点とも同じ位置で測定する。参考例では、図４の視野角特性データと図５の輝度測定データを用いて、各ディスプレイＰＤの輝度調整を実施する。
【００２０】
続いて、各ディスプレイＰＤの視野角を算出する（Ｓ１０３）。視野角の算出に必要な情報は、各ディスプレイＰＤに設定され、必要に応じて各ディスプレイＰＤ間で送受信される。例えば、各ディスプレイＰＤには、ディスプレイ（モニター画面）下端から視認者の視野（視点）までの高さの情報と、マルチディスプレイシステム中央部から視認者までの距離の情報が設定されている。任意の１台のディスプレイＰＤが他の８台のディスプレイＰＤへ、設定されている高さの情報と距離の情報を送信する。
【００２１】
なお、マルチディスプレイシステムの構成（ディスプレイの行数及び列数）情報は、複数画面（マルチディスプレイ）機能設定時に別途送信した情報を使用してもよい。１つのディスプレイあたりの画面サイズの情報は、各ディスプレイ内部のメモリに保存してある情報を使用してもよい。各ディスプレイの位置（９台のうちのどの位置か）情報は、複数画面機能設定時に別途送信した情報を使用してもよい。
【００２２】
図６は、右端のディスプレイＰＤ２の視野角算出の例を示している。この例では、システム中央のディスプレイＰＤ１と視認者との距離ａと、システム中央のディスプレイＰＤ１の中心から右端のディスプレイＰＤ２の中心までの距離ｂを用いて、視野角θを算出する。
【００２３】
その他、例えば、下端のディスプレイＰＤ７の場合、システム中央のディスプレイＰＤ１と視認者との距離と、下端のディスプレイＰＤ７の中心からユーザー視野（システム中央のディスプレイＰＤ１の中心）までの高さを用いて、視野角θを算出する。右下部のディスプレイＰＤ８の場合、まず、図６のような距離ａと距離ｂを用いて右端のディスプレイＰＤ２から視認者までの距離を算出し、算出した右端のディスプレイＰＤ２から視認者までの距離と、右下部のディスプレイＰＤ８の中心からユーザー視野（右端のディスプレイＰＤ２の中心）までの高さを用いて、視野角θを算出する。
【００２４】
続いて、各ディスプレイＰＤの目標輝度を算出し（Ｓ１０４）、目標輝度となるように各ディスプレイＰＤの輝度を調整する（Ｓ１０５）。参考例では、視野角θに基づいて視野角特性データから輝度比率を求め、求めた輝度比率に基づいて輝度測定データから目標輝度を算出する。
【００２５】
例えば、図４の視野角特性データと、Ｓ１０３で求めた視野角θ（角度）を用いて、線形補間法により、正面輝度に対する輝度比率を求める。θ＝３０（ｘ＝３０）の場合の輝度比率の算出例を以下に示す。
ｙ＝ｙｉ＋（ｙｉ＋１−ｙｉ）（ｘ−ｘｉ）／（ｘｉ＋１−ｘｉ）
＝０．８＋（０．７−０．８）（３０−２０）／（４０−２０）
＝０．７５
【００２６】
求めた値がディスプレイＰＤ２の輝度比率であると仮定すると、以下の方法で目標輝度を算出する。すなわち、ディスプレイＰＤ２の輝度測定データの輝度比率を算出し、さらに、ディスプレイＰＤ２の目標輝度を算出する。
（１）ディスプレイＰＤ２の輝度測定データの輝度比率の算出例
２００ｃｄ／ｍ２:１８０ｃｄ／ｍ２＝１:Ｘ
Ｘ＝１８０／２００
Ｘ＝０．９
（２）ディスプレイＰＤ２の目標輝度の算出例
０．７５:０．９＝Ｘ:１８０ｃｄ／ｍ２
Ｘ＝１８０×０．７５／０．９
Ｘ＝１５０ｃｄ／ｍ２
【００２７】
以上のように、参考例では、マルチディスプレイシステムの中央（正面）から見た視野角に応じて、各ディスプレイの輝度を調整することで、中央から見た各ディスプレイの輝度を均一にすることができ、適切な画質で表示をすることが可能となる。
【００２８】
（実施の形態１）
以下、図面を参照して実施の形態１について説明する。上記参考例の場合、マルチディスプレイシステムを見る人の位置がシステム中央（正面）に固定されている。このため、システム中央に立って画面を見る人にとっては適度な調整がされるが、システム中央から離れた人にとっては異なった見え方となってしまうため問題となる。そこで、本実施の形態では、人感センサーにより、人の多い位置を検出し、人の多い位置に対して参考例の技術を適用する。
【００２９】
図７は、本実施の形態に係るマルチディスプレイシステム１００の構成例を示している。図７に示すように、本実施の形態に係るマルチディスプレイシステム１００は、参考例と同様に、３行×３列で配列された９台のディスプレイＰＤ（ＰＤ１〜ＰＤ９）を備えている。本実施の形態では、図７のように、ディスプレイＰＤに人感センサー１を取り付け、特に、ディスプレイ１台に対して複数の人感センサー１を取り付ける。この例では、下列のディスプレイＰＤ９、ＰＤ７、ＰＤ８の下端部に複数の人感センサー１を備えている。後述の例のように、ディスプレイＰＤ１〜ＰＤ３に人感センサー１を備えてもよいし、ディスプレイＰＤ４〜ＰＤ６に人感センサー１を備えてもよい。
【００３０】
図８は、本実施の形態に係るマルチディスプレイシステム１００を構成するディスプレイＰＤの構成例を示している。図８に示すように、本実施の形態に係るディスプレイ（表示装置）ＰＤは、モニター２、人感センサー１、調整部３を備えている。
【００３１】
モニター（表示部）２は、マルチディスプレイシステム１００で表示する画像（マルチディスプレイ画像）の一部を表示する。人感センサー１は、モニター２の周囲（前方、正面）における人を検出する。例えば、人感センサー１は、複数のディスプレイＰＤのうちの少なくとも２つ以上のディスプレイＰＤに設けられる。
【００３２】
調整部（制御部）３は、人感センサー１の検出結果及び他のディスプレイＰＤにおける人感センサー１の検出結果に基づいて、モニター２の輝度を調整する。例えば、調整部３は、複数のディスプレイＰＤのいずれかに設けられ、複数のディスプレイＰＤのモニター２の輝度を調整する。本実施の形態では、人感センサー１が検出した検出数（人数）が最も多い列を中心と考え、中心を起点に参考例の計算式を用いて目標輝度を算出する。
すなわち、調整部３は、人が多いディスプレイＰＤの輝度よりも人が少ないディスプレイＰＤの輝度を高くする。言い換えると、調整部３は、最も人が多いディスプレイＰＤの輝度を基準として、基準のディスプレイＰＤから離れるにしたがって輝度を高くする、あるいは、最も人が多いディスプレイＰＤの視野角を基準として、視野角が大きくなるにしたがって輝度を高くする。
【００３３】
図９は、本実施の形態に係るマルチディスプレイシステム１００における輝度調整方法を示している。図９に示すように、まず、参考例と同様に、視野角特性データを予め記憶し（Ｓ１０１）、各ディスプレイＰＤの輝度を測定する（Ｓ１０２）。輝度の測定では、参考例と同様にマルチディスプレイシステム（ディスプレイＰＤ１）の中央から９点（各ディスプレイＰＤ）の輝度を測定し、さらに、各ディスプレイＰＤの位置からも９点の輝度を測定する。人の視点の高さを中央の行の位置とすると、中央のディスプレイＰＤ１から測定した輝度測定データと、右端のディスプレイＰＤ２の中央から測定した輝度測定データと、左端のディスプレイＰＤ３の中央から測定した輝度測定データを記憶する。
【００３４】
続いて、人感センサー１により人を検出する（Ｓ１０６）。具体的には、図１０のように、マルチディスプレイシステムの１００の縦の列のディスプレイグループをＡ群、Ｂ群、Ｃ群とし、各群の人を検出する。
【００３５】
図１０の例では、Ａ群では１つの人感センサー１が人を検出するため検出件数が１となり、Ｂ群では３つの人感センサー１が人を検出するため検出件数が３となり、Ｃ群では５つの人感センサー１が人を検出するため検出件数が５となる。Ｃ群の検出件数が最も多いため、Ｃ群に最も人が多いと判断し、以降のステップで、Ｃ群の中心（ディスプレイＰＤ２の中心）を起点に各ディスプレイＰＤの中心までの距離を用いて輝度を計算する。
【００３６】
続いて、参考例と同様に、各ディスプレイＰＤの視野角を算出し（Ｓ１０３）、各ディスプレイＰＤの目標輝度を算出し（Ｓ１０４）、目標輝度となるように各ディスプレイの輝度を調整する（Ｓ１０５）。Ｂ群の人が最も多い場合は、ディスプレイＰＤ１の中心が起点となるため、参考例と同様の視野角及び目標輝度となる。
【００３７】
図１１及び図１２は、Ｃ群の人が最も多い場合に、ディスプレイＰＤ２を起点として視野角を算出する例を示している。図１１に示すように、検出件数の多いＣ群のディスプレイＰＤ２を起点として、左隣のディスプレイＰＤ１の視野角を算出する場合、ディスプレイＰＤ２の中心から左隣のディスプレイＰＤ１の中心までの距離ｂ１と、ディスプレイＰＤ２と視認者（複数の視認者）との距離ａ１を用いて、視野角θを算出する。なお、人との距離ａ１は、参考例と同様に、予め設定された値でもよいし、人感センサー１が検出した距離でもよい。
【００３８】
また、図１２に示すように、検出件数の多いＣ群のディスプレイＰＤ２を起点として、左端のディスプレイＰＤ３の視野角を算出する場合、ディスプレイＰＤ２の中心から左端のディスプレイＰＤ３の中心までの距離ｂ２と、ディスプレイＰＤ２と視認者との距離ａ１を用いて、視野角θを算出する。
【００３９】
視野角θから目標輝度を算出する方法は、参考例と同様である。すなわち、視野角θに基づいて視野角特性データから輝度比率を求め、求めた輝度比率に基づいて輝度測定データから目標輝度を算出する。輝度測定データは、検出件数の多い群の中心（ディスプレイＰＤ１、ＰＤ２またはＰＤ３）から測定したデータを使用する。
【００４０】
また、図１３のように、Ａ群、Ｂ群、Ｃ群の検出件数が５となり一致した場合、もしくは任意のいずれかで検出件数が一致した場合、人が分散していると考え予め設定された高さのみで目標輝度を算出してもよい。すなわち、図１４のように、参考例と同様に、システム中央のディスプレイＰＤ１と視認者との距離ａ１と、下端のディスプレイＰＤ７の中心からユーザー視野（システム中央のディスプレイＰＤ１の中心）までの高さｃ１を用いて、視野角θを算出する。
【００４１】
以上のように、本実施の形態では、人感センサーの検出結果に基づいて、人の多い位置から見た視野角に応じて、各ディスプレイの輝度を調整することで、多くの人から見た各ディスプレイの輝度を均一にすることができ、適切な画質で表示することが可能となる。
【００４２】
（実施の形態２）
以下、図面を参照して実施の形態２について説明する。基本的な構成及び動作は、実施の形態１と同様であるが、本実施の形態では、６台のディスプレイで構成された具体例について説明する。
【００４３】
図１５は、本実施の形態に係るマルチディスプレイシステム１００の構成例を示している。図１５に示すように、本実施の形態に係るマルチディスプレイシステム１００は、２行×３列で配置された６台のディスプレイＰＤ（ＰＤ１〜ＰＤ６）を備えている。目標輝度の設定は実施の形態１と同様であり、図の例では、最も人が集まっている場所であるＣ群のディスプレイＰＤを基準の明るさ（輝度）として、Ｃ群の隣のＢ群のディスプレイＰＤの輝度をＣ群のディスプレイＰＤの輝度よりも明るくし、Ｂ群の隣のＡ群のディスプレイＰＤの輝度をＢ群のディスプレイＰＤの輝度よりもさらに明るくする。
【００４４】
本実施の形態の技術は、図１５のようなマルチディスプレイシステムにおいて、人が多く集まっている場所に対して任意の機能を実行するようなシステムで有効である。例えば、任意の機能は、人が多く集まっている場所からマルチディスプレイシステム全体を見やすくするため、人が集中している箇所と人が集中していない箇所の明るさを調整し見やすくする機能である。
【００４５】
ここで、マルチディスプレイシステム１００に適用する人感センサーについて検討する。適用する人感センサーが、焦電型赤外線センサーなどのように、“０”（非検知）か“１”（検知）しか検知できないセンサー（二値検出型センサー：人が存在するか否かのいずれかを検出するセンサー）である場合、１つのセンサーで複数人を検知することができない。サーモセンサーのように複数人検知できるセンサーも存在するがコストが高いため、本実施の形態では、“０”（非検知）か“１”（検知）しか検知できないセンサーを使用する。
【００４６】
例えば、図１６のように、このような人感センサー１を、下段の各ディスプレイＰＤにそれぞれ１つずつ取り付けた場合、一台のディスプレイに対して、人の検知を“０”（非検知）か“１”（検知）の２パターンしか検出できない為、どこに多くの人が集まっているか判断することができない。この課題を解決する為に、本実施の形態では、図１７のように、上記のような人感センサー１を、下段の各ディスプレイＰＤにそれぞれ複数台（例えば５台）取り付ける事により、１台のディスプレイに対して、複数人の検知を可能とする。すなわち、人の存在を検出した人感センサー１の数に基づいて、ディスプレイＰＤの輝度を調整することができる。
【００４７】
例えば、図１８のように人が配置されている場合、Ａ群の人感センサー１の検出件数が０件、Ｂ群の人感センサー１の検出件数が３件、Ｃ群の人感センサー１の検出件数が５件となるため、Ｃ群のディスプレイの前に最も人が多く集まっている事を検知する事ができる。この検出は、定周期で行う事により、例えば人がＡ群に移動した場合も移動された事を検知可能である。
【００４８】
図１９は、本実施の形態に係るマルチディスプレイシステム１００のネットワーク構成を示している。図１９に示すように、マルチディスプレイシステム１００では、各ディスプレイＰＤ間は、ＬＡＮケーブル等によりＬＡＮ接続されており、複数のディスプレイＰＤがデイジーチェーン接続されている。
【００４９】
デイジーチェーン接続されたネットワークにおいて、例えば、一台目のディスプレイＰＤがマスターディスプレイＰＤ＿Ｍとなり、後段に接続される複数のディスプレイＰＤがスレーブディスプレイＰＤ＿Ｓ（ＰＤ＿Ｓ１〜ＰＤ＿Ｓ５）となる。マスターディスプレイＰＤ＿Ｍは、各スレーブディスプレイＰＤ＿Ｓから情報を取得し、取得した情報に基づいて、各スレーブディスプレイＰＤ＿Ｓの輝度等を制御する。
【００５０】
図２０は、マスターディスプレイＰＤ＿Ｍの構成例を示しており、図２１は、スレーブディスプレイＰＤ＿Ｓの構成例を示している。
【００５１】
図２０に示すように、マスターディスプレイＰＤ＿Ｍは、検出部１１ｍ、表示部１２ｍ、通信部１３ｍ、制御部１４ｍを備えている。検出部１１ｍは、人感センサー１を備え、人感センサー１による検出処理を行う。表示部１２ｍは、モニター画面を備え、画像を表示するとともに、モニター画面の輝度を変更する。通信部１３ｍは、スレーブディスプレイＰＤ＿Ｓとの間で通信し、マスターとして動作するマスター通信処理を行う。制御部１４ｍは、検出部１１ｍからマスターディスプレイＰＤ＿Ｍにおける人感センサー１の検出結果を取得し、通信部１３ｍを介してスレーブディスプレイＰＤ＿Ｓにおける人感センサー１の検出結果を取得し、これらの検出結果を縦の列（群、グループ）ごとに集計する。制御部１４ｍは、各ディスプレイＰＤの人感センサー１の検出結果に基づいて、マスターディスプレイＰＤ＿Ｍ及びスレーブディスプレイＰＤ＿Ｓの輝度を設定する。
【００５２】
図２１に示すように、スレーブディスプレイＰＤ＿Ｓは、検出部１１ｓ、表示部１２ｓ、通信部１３ｓ、制御部１４ｓを備えている。検出部１１ｓ及び表示部１２ｓは、検出部１１ｍ及び表示部１２ｍと同様である。通信部１３ｓは、マスターディスプレイＰＤ＿Ｍ及びスレーブディスプレイＰＤ＿Ｓとの間で通信し、スレーブとして動作するスレーブ通信処理を行う。制御部１４ｓは、検出部１１ｓからスレーブディスプレイＰＤ＿Ｓにおける人感センサー１の検出結果を取得し、取得した検出結果を、通信部１３ｓを介してマスターディスプレイＰＤ＿Ｍへ送信する。通信部１３ｓは、他のスレーブディスプレイＰＤ＿Ｓから取得した人感センサー１の検出結果を、マスターディスプレイＰＤ＿Ｍへ転送する。
【００５３】
図２２〜図２５を用いて、本実施の形態に係るマルチディスプレイシステム１００の動作例について説明する。
【００５４】
図２２に示すように、スレーブディスプレイＰＤ＿Ｓは、定周期で人感センサー１の検出処理を行い（Ｓ２０１）、マスターディスプレイＰＤ＿Ｍへ配置情報（位置情報）、スレーブ番号、人感センサー１の検出件数を送信する（Ｓ２０２）。例えば、図２３のように、スレーブディスプレイＰＤ＿Ｓ１は、配置情報：Ｂ、スレーブ番号：１、検出件数：ＸをマスターディスプレイＰＤ＿Ｍへ送信し、スレーブディスプレイＰＤ＿Ｓ２は、配置情報：Ｃ、スレーブ番号：２、検出件数：Ｘを、スレーブディスプレイＰＤ＿Ｓ１を介してマスターディスプレイＰＤ＿Ｍへ送信する。スレーブディスプレイＰＤ＿Ｓ３〜ＰＤ＿Ｓ５も同様に送信する。
【００５５】
続いて、マスターディスプレイＰＤ＿Ｍは、各スレーブディスプレイＰＤ＿Ｓから送信された配置情報、スレーブ番号、検出件数を取得する（Ｓ２０３）。マスターディスプレイＰＤ＿Ｍは、取得した配置情報をもとに検出件数を振り分け（Ｓ２０４）、Ａ群、Ｂ群、Ｃ群ごとに検出件数を集計する（Ｓ２０５〜Ｓ２０７）。
【００５６】
図２４の例の検出件数を集計した結果を、図２５に示す。すなわち、図２４では、マスターディスプレイＰＤ＿Ｍの検出件数が０、スレーブディスプレイＰＤ＿Ｓ３の検出件数が０であるため、Ａ群の検出件数は０となる。スレーブディスプレイＰＤ＿Ｓ１の検出件数が０、スレーブディスプレイＰＤ＿Ｓ４の検出件数が３であるため、Ｂ群の検出件数は３となる。スレーブディスプレイＰＤ＿Ｓ２の検出件数が０、スレーブディスプレイＰＤ＿Ｓ５の検出件数が５であるため、Ｃ群の検出件数は５となる。なお、上段のディスプレイＰＤ（ＰＤ＿Ｍ、ＰＤ＿Ｓ１〜ＰＤ＿Ｓ２）に人感センサー１を取り付けることで、これらの人感センサー１の検出件数を含めることができ、検出精度を向上することができる。
【００５７】
続いて、マスターディスプレイＰＤ＿Ｍは、集計結果から各ディスプレイＰＤの目標輝度を算出し（Ｓ２０８）、マスターディスプレイＰＤ＿Ｍの目標輝度を設定し（Ｓ２０９）、スレーブディスプレイＰＤ＿Ｓの目標輝度の設定を要求する（Ｓ２１０）。スレーブディスプレイＰＤ＿Ｓは、要求された目標輝度を設定する（Ｓ２１１）。目標輝度の算出方法は、実施の形態１と同様である。
【００５８】
以上のように、本実施の形態では、実施の形態１と同様に、人感センサーの検出結果に基づいて、各ディスプレイの輝度を調整するため、適切な画質で表示することができる。各ディスプレイに複数の人感センサーを備えることで、簡易な人感センサーを用いて複数の人を検出することができ、低コストでシステムを実現することができる。
【００５９】
（その他の実施の形態）
マルチディスプレイシステムを構成するディスプレイや人感センサーの数及び配置は、上記の実施の形態で示した例に限らない。図２６〜図２９は、その他のマルチディスプレイシステムの例を示している。
【００６０】
図２６の例は、２行×３列で配置された６台のディスプレイＰＤを備え、全てのディスプレイＰＤが複数の人感センサーを備えている。図２７の例は、１行×４列で配置された４台のディスプレイＰＤを備え、全てのディスプレイＰＤが複数の人感センサーを備えている。図２８の例は、２行×４列で配置された８台のディスプレイＰＤを備え、下段の行の全てのディスプレイＰＤが複数の人感センサーを備えている。図２９の例は、２行×４列で配置された８台のディスプレイＰＤを備え、下段の列の奇数番目のディスプレイが複数の人感センサーを備えている。
【００６１】
なお、本発明は上記実施の形態に限られたものではなく、趣旨を逸脱しない範囲で適宜変更することが可能である。
【００６２】
上記実施の形態における各構成は、ハードウェア又はソフトウェア、もしくはその両方によって構成され、１つのハードウェア又はソフトウェアから構成してもよいし、複数のハードウェア又はソフトウェアから構成してもよい。実施の形態における各機能（各処理）を、ＣＰＵやメモリ等を有するコンピュータにより実現してもよい。例えば、記憶装置（記憶媒体）に実施の形態における表示方法を行うための表示プログラムを格納し、各機能を、記憶装置に格納された表示プログラムをＣＰＵで実行することにより実現してもよい。
【００６３】
このようなプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００６４】
１      人感センサー
２      モニター
３      調整部
１１ｍ、１１ｓ  検出部
１２ｍ、１２ｓ  表示部
１３ｍ、１３ｍ  通信部
１４ｍ、１４ｓ  制御部
１００  マルチディスプレイシステム
ＰＤ、ＰＤ１〜ＰＤ９  ディスプレイ
ＰＤ＿Ｍ  マスターディスプレイ
ＰＤ＿Ｓ、ＰＤ＿Ｓ１〜ＰＤ＿Ｓ５  スレーブディスプレイ
【図１】
2018022081.tif 000003
【図２】
2018022081.tif 000004
【図３】
2018022081.tif 000005
【図４】
2018022081.tif 000006
【図５】
2018022081.tif 000007
【図６】
2018022081.tif 000008
【図７】
2018022081.tif 000009
【図８】
2018022081.tif 000010
【図９】
2018022081.tif 000011
【図１０】
2018022081.tif 000012
【図１１】
2018022081.tif 000013
【図１２】
2018022081.tif 000014
【図１３】
2018022081.tif 000015
【図１４】
2018022081.tif 000016
【図１５】
2018022081.tif 000017
【図１６】
2018022081.tif 000018
【図１７】
2018022081.tif 000019
【図１８】
2018022081.tif 000020
【図１９】
2018022081.tif 000021
【図２０】
2018022081.tif 000022
【図２１】
2018022081.tif 000023
【図２２】
2018022081.tif 000024
【図２３】
2018022081.tif 000025
【図２４】
2018022081.tif 000026
【図２５】
2018022081.tif 000027
【図２６】
2018022081.tif 000028
【図２７】
2018022081.tif 000029
【図２８】
2018022081.tif 000030
【図２９】
2018022081.tif 000031